(57)【要約】【課題】据付枠の防犯性を高める。【解決手段】空気調和機を据付ける種々の窓サッシ３の上下高さに応じて縦方向の寸法を本体枠１１からスライド枠１２を引き伸ばす事で調節し、本体枠１１上部とスライド枠１２上部の間を、閉塞部材２７で閉塞する据付枠１０に於いて、前記スライド枠１２に溝１２ｃを設け、この溝１２ｃより大きなボルト頭部と、この溝１２ｃより小さく該溝を貫通したボルトネジ部から成る係止ボルト１３を備え、更にこのボルト１３に螺合するナット１４を設け、横長板状の補強部材２８を備え、この補強部材２８の左右端に穴を設け、前記閉塞部材２７に対向して、左右のスライド枠の溝１２ｃの間に係止ボルト１３とナット１４にて補強部材２８を固定するようにする。【選択図】図1
2007198656.tif 000002
【特許請求の範囲】
【請求項１】
空気調和機を据付ける種々の窓サッシの上下高さに応じて縦方向の寸法を本体枠からスライド枠を引き伸ばす事で調節し、本体枠上部とスライド枠上部の間に生じる開口を、閉塞部材で閉塞する据付枠に於いて、前記スライド枠の間に補強部材を固定する事を特徴とする空気調和機の窓据付装置。
【請求項２】
前記スライド枠に溝を設け、この溝より大きなボルト頭部と、この溝より小さく該溝を貫通したボルトネジ部から成る係止ボルトを備え、更にこのボルトに螺合するナットを設け、横長板状の補強部材を備え、この補強部材の左右端に穴を設け、前記閉塞部材に対向して、左右のスライド枠の溝の間に係止ボルトとナットにて補強部材を固定する事を特徴とする請求項１記載の空気調和機の窓据付装置。
【発明の詳細な説明】
【技術分野】
【０００１】
この発明は窓取付型の一体式空気調和機の取付装置に関するものである。
【背景技術】
【０００２】
従来例として、空気調和機を据付ける種々の窓サッシの上下高さに応じて縦方向の寸法を本体枠からスライド枠を引き伸ばす事で調節し、本体枠上部とスライド枠上部の間を、スライド枠の引き伸ばしに応じて伸縮する、蛇腹状で半透明プラスチック製の閉塞部材で閉塞することで、室内と室外を隔てていた。（例えば、特許文献１参照）
【特許文献１】特開２００２−１８１３７６号公報
【発明の開示】
【発明が解決しようとする課題】
【０００３】
しかしながら、この従来の空気調和機の閉塞部材は、本体枠上部とスライド枠上部の間を蛇腹状に伸縮するために柔軟性の有る塩化ビニール等で形成されていたので、室外から力を加えると容易にはずれたり、壊れるために、防犯性に問題が有った。
【課題を解決するための手段】
【０００４】
この発明はこの点に着目し、上記欠点を解決する為、特にその構成を、空気調和機を据付ける種々の窓サッシの上下高さに応じて縦方向の寸法を本体枠からスライド枠を引き伸ばす事で調節し、本体枠上部とスライド枠上部の間に生じる開口を、閉塞部材で閉塞する据付枠に於いて、前記スライド枠の間に補強部材を固定するものである。
また、前記スライド枠に溝を設け、この溝より大きなボルト頭部と、この溝より小さく該溝を貫通したボルトネジ部から成る係止ボルトを備え、更にこのボルトに螺合するナットを設け、横長板状の補強部材を備え、この補強部材の左右端に穴を設け、前記閉塞部材に対向して、左右のスライド枠の溝の間に係止ボルトとナットにて補強部材を固定するものである。
【発明の効果】
【０００５】
この発明によれば、空気調和機を据付ける種々の窓サッシの上下高さに応じて縦方向の寸法を本体枠からスライド枠を引き伸ばす事で調節し、本体枠上部とスライド枠上部の間に生じる開口を、閉塞部材で閉塞する据付枠に於いて、前記スライド枠の間に補強部材を固定するようにしたので、空気調和機の閉塞部を簡単に補強でき、簡単に防犯性を高めることができるものである。
また、前記スライド枠に溝を設け、この溝より大きなボルト頭部と、この溝より小さく該溝を貫通したボルトネジ部から成る係止ボルトを備え、更にこのボルトに螺合するナットを設け、横長板状の補強部材を備え、この補強部材の左右端に穴を設け、前記閉塞部材に対向して、左右のスライド枠の溝の間に係止ボルトとナットにて補強部材を固定するようにしたので、閉塞部を更に簡単に補強でき、更に簡単に防犯性を高めることができるものである。
【発明を実施するための最良の形態】
【０００６】
以下この発明の実施の形態を図面をもとに説明すれば、１は建物の外壁で、開口の木製窓縁部２の内側に金属製の窓サッシ３が取り付けられている。
前記窓サッシ３の鴨居部４はガラス戸（図示せず）を導き雨水の侵入を抑える上レール５や端部６が垂下され、敷居部７は下レール８や端部９が立ち上げられている。
【０００７】
１０は窓取付用の一体型空気調和機（図示せず）を据付ける据付枠で、空気調和機を取付ける本体枠１１と窓の高さに応じてこの本体枠１１より摺動自在に結合したスライド枠１２で構成されている。
前記本体枠１１はアルミ押出し成形品で構成され、上下に２本の横桟１１ａと左右に２本の縦桟１１ｂによって縦長方形に組立られている。
【０００８】
前記スライド枠１２は上側に１本の横桟１２ａと左右に２本の縦桟１２ｂをコの字形に組立て、この縦桟１２ｂを前記本体枠１１の縦桟１１ｂ内に上方からスライドして収納させている。
前記本体枠１１の縦桟１１ｂ上部側面には穴１１ｃを設け、この穴１１ｃに対向するスライド枠１２の縦桟１２ｂに摺動方向に溝１２ｃを形成している。
【０００９】
１３は係止ボルトで扁平縦長のボルト頭部１３ａが前記スライド枠１２の溝１２ｃ内側を摺動し、ボルトネジ部１３ｂが前記本体枠１１の穴１１ｃを貫通するもので、このボルトネジ部１３ｂにナット１４を螺合し締め込むことでボルト頭部１３ａとナット１４の間に溝１２ｃ左右のスライド枠縦桟１２ｂと本体枠縦桟１１ｂを密着させ本体枠１１とスライド枠１２の縦方向の摺動を阻止するものであり、左右の対照位置にそれぞれ１セットづつ設けられている。
【００１０】
また前記ボルト頭部１３ａとスライド枠１２との接触面には突起１３ｃを設けることでナット１４締め込み時にスライド枠１２内面に食い込んでより縦方向の摺動を阻止する力を高めるものであり、前記ナット１４の側面を大きくローレット状にしてドライバーを使用せずとも素手でナット締めができるものである。もちろんナット１４を蝶ナットやその他プラスチック成形等によって素手でもナット締めが行いやすい形状に設けても良い。また前記ボルトネジ部１３ｂの長さ寸法Ａは溝１２ｃの奥行き寸法Ｂよりも大きいので据付作業時に誤ってナット１４が外れてしまっても係止ボルト１３が本体枠１１の内側へ落ちるような事がないものである。
【００１１】
前記スライド枠１２の横桟１２ａの上面１５には後部フランジ１６を立ち上げ、この後部フランジ１６よりも前方にネジ止め用フランジ１７を備え、このフランジ１７にネジ穴１８を形成し、前記後部フランジ１６とネジ止め用フランジ１７の間に窓サッシ３の端部６を位置させ、前記ネジ穴１８に化粧ネジ１９をネジ込んで化粧ネジ１９先端と後部フランジ１６で端部６を挟んで固定するものである。
【００１２】
またネジ止め用フランジ１７の更に前方には前部フランジ２０を備えている。この前部フランジ２０には前記ネジ穴１８に対向してこのネジ穴１８よりも大きい径の穴２１を設け、据付け作業時にネジ穴１８の位置を作業者にわかりやすく、またネジ穴１８に対して真っ直ぐにネジ止めができるようにするもので、前部フランジ２０の位置と化粧ネジ１９の長さを調節すれば、化粧ネジ１９の締め込み過ぎによる、アルミニューム製等の窓サッシ端部６や後部フランジ１６の変形を防止する事ができるものである。
【００１３】
また前記本体枠１１の横桟１１ａの下面２２にも前記上面１５とは上下反対方向ではあるが同様の後部フランジ２３・ネジ止め用フランジ２４・前部フランジ２５・化粧ネジ２６を設け、前記後部フランジ２３と化粧ネジ２６で端部９を挟んで固定している。
２７は閉塞部材としての蛇腹板で、前記スライド枠１２の伸縮にともなって伸縮し空気調和機上方の本体枠上部横桟１１ａとスライド枠上部横桟１２ａの間に開口ができることを防止するものであり、蛇腹状に伸縮するために柔軟性の有る塩化ビニール等で形成されてる。
【００１４】
２８は横長のアルミニューム板または鉄板から形成される補強部材で、左右端の設けた穴２９と係止ボルト１３、ナット１４によって、スライド枠１２の縦桟１２ｂの溝１２ｃに固定することで、柔軟な前記閉塞部材２７によって覆われる開口が壊されて、賊が侵入する事を防止するものである。
３０は据付枠１０と引き戸（図示せず）との間の隙間を塞ぐ板ゴムで、前記据付枠１０縦桟１１ｂ・１２ｂの後方に取り付けられるものであり、３１は本体枠１１の側面に取り付けられた窓ストッパで、空気調和機運転時に誤って引き戸を閉じてしまうことを防止するものである。
【００１５】
据付作業について説明すれば、本体枠１１の下面２２の後部フランジ２３を敷居部７の端部９の室外側側面に合わせ、スライド枠１２を本体枠１１から引き出して上方に徐々にスライドさせスライド枠１２上面１５に備えた後部フランジ１６を鴨居部４の端部６の室外側側面に合わせながら押し上げれば、スライド枠１２は本体枠１１から好適な寸法で引き出され左右の縦桟１１ｂのナット１４を締めれば、係止ボルト１３の突起１３ｃがスライド枠１２の内面に食い込みスライド枠１２の高さ方向の動きを阻止するものである。
【００１６】
次に上下の横桟１１ａ・１２ａにそれぞれ備える化粧ネジ１７・２６を締めれば、後部フランジ１６・２３と化粧ネジ１９・２６との間に窓サッシ３の端部６・９が固定される。そして、閉塞部材２７に対向して補強部材２８を、窓の高さに応じて適当な個数、スライド枠１２の溝１２ｃに係止ボルト１３とナット１４にて取り付ければ、開口が壊されて、賊が侵入する事を防止することができるものである。そして据付枠１０に空気調和機を固定すれば据付が終了する。
また据付枠１０を取り外すには、空気調和機を本体枠１０から取り外して上下の横桟１１ａ・１２ａにそれぞれ備える化粧ネジ１７・２６を緩め、左右のナット１４を緩めれば簡単に据付枠１０を窓サッシ３から外す事ができるものである。
【００１７】
このように、空気調和機の閉塞部を簡単に補強でき、簡単に防犯性を高めることができるものである。
【図面の簡単な説明】
【００１８】
【図１】この発明一実施例の斜視図。
【図２】同要部側面の拡大断面図。
【図３】同要部の拡大斜視図。
【図４】同要部の拡大斜視図。
【符号の説明】
【００１９】
３  窓サッシ
１０  据付枠
１１  本体枠
１１ｃ  穴
１２  スライド枠
１２ｃ  溝
１３  係止ボルト
１３ｃ  突起
１４  ナット
２７  閉塞部材
２８  補強部材
【図１】
2007198656.tif 000003
【図２】
2007198656.tif 000004
【図３】
2007198656.tif 000005
【図４】
2007198656.tif 000006